(57)【要約】【課題】クレー射撃場等で生じる複数種類の構成物を含む廃棄物やその他の混在物を、比較的短時間で効率良く、少なくとも４種類の構成物に分別することのできる分別装置を提供する。【解決手段】分別装置１は、クレー射撃場から回収された廃棄物を振動篩３に搬入するためのベルトコンベア２と、複数種類の構成物を含む廃棄物を篩い分ける振動篩３と、篩分篩３を通過した第１分別物４を回収するベルトコンベア５および回収容器６と、振動篩３を通過しない第２分別物７を搬送するベルトコンベア１８と、ベルトコンベア１８で搬送される第２分別物７を風力で浮揚する第３分別物８と前記風力で浮揚しない第４分別物９とに分別する風力分別手段１０と、第３分別物８を回収するサイクロン１１と、第４分別物９を回収するベルトコンベア１８および回収容器１２と、を備えている。【選択図】  図１
2005185991.tif 000002
【特許請求の範囲】
【請求項１】
複数種類の構成物を含む廃棄物または混在物を篩い分ける篩分手段と、前記篩分手段を通過した第１分別物を回収する第１回収手段と、前記篩分手段を通過しない第２分別物を搬送する搬送手段と、前記搬送手段で搬送される第２分別物を風力で浮揚する第３分別物と前記風力で浮揚しない第４分別物とに分別する風力分別手段と、前記第３分別物を回収する第２回収手段と、前記第４分別物を回収する第３回収手段とを備えたことを特徴とする分別装置。
【請求項２】
前記風力分別手段として、前記搬送手段で搬送される第２分別物に向かって送風する送風手段と、前記送風によって浮揚した第３分別物を吸い込む吸引手段とを設けた請求項１記載の分別装置。
【請求項３】
前記送風手段として、前記第２分別物の搬送方向と反対方向から斜めに送風するブロワを設けた請求項２記載の分別装置。
【請求項４】
前記吸引手段としてサイクロンを用いた請求項２記載の分別装置。
【請求項５】
前記篩分手段として振動篩を用いた請求項１記載の分別装置。
【発明の詳細な説明】
【技術分野】
【０００１】
本発明は、クレー射撃場において発生するクレー、コロス（発砲後の散弾薬莢）、鉛弾、植物片、小石類等を含む廃棄物またはその他の混在物を分別する装置に関する。
【背景技術】
【０００２】
クレー射撃場においては、散弾銃の射撃によって発生するクレー、コロス、鉛弾物が地面に散乱している。これらの散乱物は回収して所定の廃棄処分に付されているが、回収作業の際、地面に生えている植物類の破砕片や小石類等が混入するため、回収直後の廃棄物はクレー、コロス、鉛弾、植物片、小石類等が混在した状態にある。
【０００３】
そこで、前記廃棄物はいくつかの種類に分別した後、所定の処分場へ送られているが、これらの分別作業は、篩等を用いた人力作業によって行われている。このため、分別作業には多大な労力と時間とを要している。
【０００４】
一方、サイズ、形状、材質あるいは比重等が異なる複数物品の混在物を効率良く選別する装置として、従来、風力を利用した選別装置が開発されている（例えば、特許文献１〜３参照。）。
【０００５】
【特許文献１】特開平９−２０６６８８号公報（第２−４頁）
【特許文献２】特開平１０−２４９２８２号公報（第３−５頁）
【特許文献３】特開平９−２５３５８０号公報（第２−４頁）
【発明の開示】
【発明が解決しようとする課題】
【０００６】
前述したように、クレー、コロス、鉛弾、植物片、小石類等が混在したクレー射撃場廃棄物の分別作業を人力で行う場合、多大な労力と時間とを要し、非効率的である。
【０００７】
一方、特許文献１〜３に記載された選別装置は、空き缶、空き瓶、袋類および発泡合成樹脂が混在するゴミ等の選別作業には好適であるが、クレー、コロス、鉛弾、植物片、小石類等が混在した射撃場廃棄物の分別作業には不向きである。すなわち、これらの選別装置では、植物片やコロス等の軽量物と、クレーや鉛弾や小石類等の重量物が上下に積み重なって混在する射撃場廃棄物を分別することが困難である。
【０００８】
本発明が解決しようとする課題は、クレー射撃場等で生じる複数種類の構成物を含む廃棄物や混在物を、比較的短時間で効率良く、少なくとも４種類の構成物に分別することのできる分別装置を提供することにある。
【課題を解決するための手段】
【０００９】
複数種類の構成物を含む廃棄物または混在物を篩い分ける篩分手段と、篩分手段を通過した第１分別物を回収する第１回収手段と、篩分手段を通過しない第２分別物を搬送する搬送手段と、搬送手段で搬送される第２分別物を風力で浮揚する第３分別物と前記風力で浮揚しない第４分別物とに分別する風力分別手段と、第３分別物を回収する第２回収手段と、第４分別物を回収する第３回収手段とを備えたことを特徴とする。
【００１０】
このような構成とすることにより、投入された廃棄物や混在物は、篩分手段においてサイズの違いによる分別が行われ、その後、風力分別手段において質量や比重の違いによる分別が行われ、これらの分別作業は連続的に行われる。このため、複数種類の構成物を含む廃棄物や混在物を第１分別物、第３分別物および第４分別物の３種類に分別してそれぞれ回収することが可能となる。したがって、クレー、コロス、鉛弾、植物片等が混在したクレー射撃場廃棄物を比較的短時間で効率良く、第１分別物（鉛弾、小片等）、第３分別物（植物片、コロス等）、第４分別物（クレー、小石類等）に分別することができる。
【００１１】
ここで、前記風力分別手段として、搬送手段で搬送される第２分別物に向かって送風する送風手段と、送風によって浮揚した第３分別物を吸い込む吸引手段とを設けることが望ましい。このような送風手段、吸引手段を設けることにより、第２分別物に含まれる比重の異なる複数種類の構成物を効率良く、確実に分別することが可能となる。このため、クレー射撃場廃棄物の第２分別物に含まれるクレー、コロス、小石類、植物片等を、第３分別物（植物片、コロス等）と第４分別物（クレー、小石類等）とに効率良く、確実に分別することができるようになる。
【００１２】
この場合、前記送風手段として、第２分別物の搬送方向と反対方向から斜めに送風するブロワを設けることが望ましい。このようなブロワを設けることにより、搬送手段で搬送されてくる第２分別物に向かって均等かつ的確に送風することが可能となり、浮遊作用も高まり、第２分別物が重なり合った状態にあっても的確に浮遊させることができるため、優れた分別機能を得ることができる。なお、ブロワの送風能力を変更する機構を設けておけば、第２分別物の種類、性状等に応じた選別機能を設定することができる。
【００１３】
一方、前記吸引手段としてサイクロンを用いれば、吸引した第３分別物をさらに２種類以上の構成物に分別して回収することが可能となるため、それぞれ構成物の廃棄処分あるいは再利用を行う上で好都合である。このため、クレー射撃場廃棄物の第３分別物（コロス、植物片）をコロスと植物片とに分別することが可能となる。
【００１４】
ここで、前記篩分手段として振動篩を用いれば、クレー射撃場廃棄物をその構成物のサイズの違いにより、効率良く分別することができる。また、振動篩を用いることにより、射撃場廃棄物中に含まれる植物根（植物片）と土と鉛弾とが相互に付着した物体を篩の振動によって破砕しながら、植物根、土、鉛弾に分別することができるため、優れた分別機能が得られる。さらに、振動篩の篩目の大きさを変更することによって、分別サイズを任意に設定することができるので、複数種類の構成物を含むクレー射撃場廃棄物の状況に対応した分別条件を設定することができる。
【発明の効果】
【００１５】
本発明により、以下に示す効果を奏する。
【００１６】
（１）複数種類の構成物を含む廃棄物または混在物を篩い分ける篩分手段と、篩分手段を通過した第１分別物を回収する第１回収手段と、篩分手段を通過しない第２分別物を搬送する搬送手段と、搬送手段で搬送される第２分別物を風力で浮揚する第３分別物と前記風力で浮揚しない第４分別物とに分別する風力分別手段と、第３分別物を回収する第２回収手段と、第４分別物を回収する第３回収手段とを備えたことにより、複数種類の構成物を含む廃棄物や混在物を比較的短時間で効率良く、第１分別物、第３分別物、第４分別物に分別することが可能となる。
【００１７】
（２）前記風力分別手段として、搬送手段で搬送される第２分別物に向かって送風する送風手段と、送風によって浮揚した第３分別物を吸い込む吸引手段とを設けることにより、第２分別物に含まれる比重の異なる複数種類の構成物を効率良く、確実に分別することが可能となる。
【００１８】
（３）前記送風手段として、第２分別物の搬送方向と反対方向から斜めに送風するブロワを設けることにより、搬送手段で搬送される第２分別物に向かって均等かつ的確に送風することが可能となるため、浮遊作用が高まり、優れた分別機能を発揮する。
【００１９】
（４）前記吸引手段としてサイクロンを用いれば、吸引した第３分別物をさらに２種類以上の構成物に分別して回収することが可能となるため、それぞれ構成物の廃棄処分あるいは再利用を行う上で好都合である。
【００２０】
（５）前記篩分手段として振動篩を用いれば、クレー射撃場廃棄物をその構成物のサイズの違いにより、効率良く分別することができ、植物片と土と鉛弾との相互付着物等に対する分別機能が向上する。
【発明を実施するための最良の形態】
【００２１】
以下、図面に基づいて、本発明の実施の形態である分別装置について説明する。図１は本発明の実施の形態である分別装置を示す平面図、図２は前記分別装置の正面図、図３は前記分別装置の一部省略側面図、図４は前記分別装置の一部切欠拡大図である。
【００２２】
図１〜図３に示すように、本実施形態の分別装置１は、クレー、コロス、鉛弾、植物片、小石類等を含むクレー射撃場廃棄物を、後述する４種類の分別物（第１分別物〜第４分別物）に分別する機能を有する装置である。
【００２３】
分別装置１は、クレー射撃場から回収された廃棄物を振動篩３に搬入するためのベルトコンベア２と、複数種類の構成物を含む廃棄物を篩い分ける振動篩３と、篩分篩３を通過した第１分別物４を回収する第１回収手段であるベルトコンベア５および回収容器６と、振動篩３を通過しない第２分別物７を搬送する搬送手段であるベルトコンベア１８と、ベルトコンベア１８で搬送される第２分別物７を風力で浮揚する第３分別物８と前記風力で浮揚しない第４分別物９とに分別する風力分別手段１０と、第３分別物８を回収する第２回収手段であるサイクロン１１と、第４分別物９を回収する第３回収手段であるベルトコンベア１８および回収容器１２と、を備えている。
【００２４】
クレー射撃場から回収されたクレー、コロス、鉛弾、植物片、小石類等を含む廃棄物をバックホー（図示せず）等を用いてベルトコンベア２に始端部分に投入すると、投入された廃棄物はベルトコンベア２で振動篩３に搬入され、振動篩３において、サイズの違いによって第１分別物４（鉛弾、小片物、微粒物）と第２分別物７（クレー、コロス、植物片、小石類）とに分別される。
【００２５】
すなわち、振動篩３を通過したサイズの小さな第１分別物４（鉛弾、小片物、微粒物）はシュート１３を経由して落下し、ベルトコンベア５によって回収容器６に回収され、振動篩３を通過しないサイズの大きな第２分別物７（クレー、コロス、植物片、小石類）はシュート１４を経由してベルトコンベア１８の始端部分に投入される。
【００２６】
ベルトコンベア１８の始端部分に投入された第２分別物７は、搬送方向に向かって昇り勾配をなすベルトコンベア１８によって搬送されていき、その後、風力分別手段１０において質量（比重）の違いによる分別が行われる。
【００２７】
風力分別手段１０は、図４に示すように、ベルトコンベア１８で搬送される第２分別物７に向かって送風する送風手段であるブロア１５と、ブロア１５からの送風によって浮揚した第３分別物８を吸い込む吸引手段である吸引管１６で構成されている。吸引管１６は、ベルトコンベア１８の上面を長さ方向に沿って所定距離だけ覆うように配置されたカバー１７の上面部材１７ａに連結され、カバー１７で覆われた領域内に連通している。
【００２８】
また、カバー１７で覆われた領域内において、ベルトコンベア１８の搬送方向の始端寄りの部分には、ゴム等の弾性板材で形成された２枚の均し部材２２が上面部材１７ａの下面に垂下状に取り付けられている。これらの上面部材１７ａは前記搬送方向を横断する方向に間隔をおいて配置されており、ベルトコンベア１８によって搬送されてくる第２分別物７の高さを均す機能を有している。
【００２９】
風力選別手段１０においては、ベルトコンベア１８で搬送される第２分別物７の搬送方向と反対方向から第２分別物７に対して斜めにブロワ１５からの送風が行われる。このような送風により、比重の小さな構成物（植物片、コロス等）は浮揚して第３分別物８として吸引管１６に吸い込まれ、比重の大きな構成物（クレー、小石類等）はそのままベルトコンベア１８上に残って第４分別物９とされる。
【００３０】
吸引管１６に吸い込まれた第３分別物８は、サイクロン１１内に導入され、ここで、第５分別物（コロス）と第６分別物（植物片）とに分別され、それぞれ個別に回収される。なお、吸引管１６による吸引およびサイクロン１１による分別は、吸引管１９を介してサイクロン１１に連結された吸引ファン２０によって行われる。
【００３１】
一方、風力分別手段１０を通過してベルトコンベア１８上に残った第４分別物９（クレー、小石類等）は、そのままベルトコンベア１８に沿って搬送されていき、その終端部分に配置された回収容器１２内へ回収される。なお、ベルトコンベア１８で搬送される第４分別物９に外径５０ｍｍ以上の小石類が混入している場合は、風力分別手段１０とベルトコンベア１８の終端部分との間において手作業による除去作業が行われ、これらの小石類は回収容器２１に回収される。
【００３２】
このように、分別装置１を使用することにより、クレー射撃場の廃棄物の分別作業を連続的に行うことができるため、複数種類の構成物を含む廃棄物を第１分別物４（鉛弾、小片物、微粒物）、第４分別物９（クレー、小石類）、第５分別物（コロス）および第６分別物（植物片）の４種類に分別してそれぞれの回収容器に回収することができる。したがって、クレー、コロス、鉛弾、植物片等が混在したクレー射撃場の廃棄物を比較的短時間で効率良く、分別することができる。
【００３３】
本実施形態では、第２分別物７の搬送方向と反対方向から斜めに送風するブロワ１５を設けているため、搬送手段で搬送されてくる第２分別物７に向かって均等かつ的確に送風することができ、比較的強力な浮遊作用によって優れた分別機能を発揮する。また、図４で示したように、ベルトコンベア１８により、昇り勾配に沿って移動する第２分別物７に向かってブロワ１５から斜めに送風するようにしているため、第２分別物７に混在している軽量物を掘り起こして浮遊させることができる。
【００３４】
したがって、第２分別物７中の混在する軽量物を漏れなく浮遊させ、後述する吸引ファン２０の作用で吸引することができるだけでなく、第２分別物７中に残存している粉塵等の微粉体も回収することができる。また、このような微粉体を回収することによって作業環境のさらなる改善を図ることができる。
【００３５】
一方、第３分別物８を分別する吸引手段として吸引ファン２０で作動するサイクロン１１を用いているため、吸引した第３分別物８（コロス、植物片）をさらに２種類の構成物であるコロスと植物片とに分別することできる。このため、それぞれ構成物の廃棄処分あるいは再利用を行う上で好都合である。
【００３６】
また、本実施形態の分別装置１全体はインバータで制御されているため、廃棄物の投入状況（廃棄物の性状、投入量）に応じて、装置に対する負荷の程度や稼働速度等を調節することができる。
【産業上の利用可能性】
【００３７】
本発明の分別装置は、クレー射撃場等で生じる複数種類の構成物を含む廃棄物やその他の混在物を分別する産業分野において利用可能であるが、これに限定するものではなく、ゴミの選別手段あるいは建設工事で発生する土砂類の分別手段等としても広く利用することができる。
【図面の簡単な説明】
【００３８】
【図１】本発明の実施の形態である分別装置を示す平面図である。
【図２】図１に示す分別装置の正面図である。
【図３】図１に示す分別装置の一部省略側面図である。
【図４】図１に示す分別装置の一部切欠拡大図である。
【符号の説明】
【００３９】
１  分別装置
２，５，１８  ベルトコンベア
３  振動篩
４  第１分別物
６，１２，２１  回収容器
７  第２分別物
８  第３分別物
９  第４分別物
１０  風力分別手段
１１  サイクロン
１３，１４  シュート
１５  ブロワ
１６，１９  吸引管
１７  カバー
２０  吸引ファン
２２  均し部材
【図１】
2005185991.tif 000003
【図２】
2005185991.tif 000004
【図３】
2005185991.tif 000005
【図４】
2005185991.tif 000006